(57)【特許請求の範囲】
【請求項１】
ガスが流入する１次室と、この１次室に対して開口を介して連通する２次室とを備えたケーシング内に、２次室側から開口の開度を変更する弁体を設けると共に、１次室を大気に対して閉塞するダイアフラムを開口に対向して取り付け、ダイアフラムの中央に形成した取付穴に大気側から挿通される軸部材をケーシング内で弁体に連結したガスガバナにおいて、上記ダイアフラムの取付穴の内周部を軸部材の外周面に気密に密着させると共に、軸部材の基部を拡径して段部を形成し、軸部材に弁体が連結されている状態で弁体と段部とでダイアフラムの開口周縁を挟み、１次室に圧力が作用している状態で弁体が軸部材から脱落した場合に、１次室の圧力によってダイアフラムが押されてダイアフラムの開口周縁が段部に押接してダイアフラムが軸部材から外れないようにしたことを特徴とするガスガバナ。
【請求項２】
上記開口の開度が減少する方向を閉弁方向として、上記軸部材の閉弁方向への移動を所定の位置で規制するストッパ手段を設けたことを特徴とする請求項１に記載のガスガバナ。
【発明の詳細な説明】
【技術分野】
【０００１】
本発明は、ダイアフラムを備え、ガスの１次圧が変動しても一定の２次圧でガスをガスバーナに供給することのできるガスガバナに関する。
【背景技術】
【０００２】
従来のこの種のガスガバナは、ガスが流入する１次室と、この１次室に対して開口を介して連通する２次室とを備えたケーシングを有している。そして、このケーシング内に、２次室側から開口の開度を変更する弁体を設けている。一方、１次室はゴム製のダイアフラムによって大気に対して隔絶されている。弁体はこのダイアフラムの中心部分に連結する必要がある。そのため、例えば弁体から１次室内へ延びる軸部を形成し、この軸部にダイアフラムを取り付けたものが知られている。このものでは軸部の先端にネジ部を形成し、ダイアフラムの中央に形成した取付穴にネジ部を挿通し、大気側からネジに螺合するナットでダイアフラムを締め付けて気密性を確保している。（例えば、特許文献１参照）。
【０００３】
取付穴の周囲を挟持する構造として、特許文献１に記載されているようにナットなどのネジ部材で締め付けてもよいが、軸部の先端近傍に係合溝を形成し、軸部の先端に所定の位置まで嵌め込むと係合爪が係合溝に係合して抜けなくなる治具部材を用い、この治具部材と軸部とでダイアフラムの取付穴の周囲を挟み込んで機密性を確保するようにしたものも知られている（例えば、特許文献２参照）。
【特許文献１】特許第２６５２９２０号公報（０００７、図１）
【特許文献２】特開２００５-２３９５２号公報（図１、図２）
【発明の開示】
【発明が解決しようとする課題】
【０００４】
ダイアフラムの取付穴の周囲を、ナット等のネジ部材で締め付けたり治具部材で挟み込んで軸部に固定して機密性を確保する上記構成では、ネジ部材が緩んだばあい、ダイアフラムと軸部との間の気密性が低下するおそれが生じる。また、弁体側に形成した軸部を取付穴に挿通して治具部材でダイアフラムを挟み込む構成では、治具部材が軸部から外れると、軸部が取付穴から完全に抜けてしまい、取付穴を介して１次室が大気側と連通してしまうおそれが生じる。
【０００５】
そこで本発明は、上記の問題点に鑑み、上記の不具合の生じず気密性が損なわれることのないダイアフラムを提供することを課題とする。
【課題を解決するための手段】
【０００６】
上記課題を解決するために本発明によるガスガバナは、ガスが流入する１次室と、この１次室に対して開口を介して連通する２次室とを備えたケーシング内に、２次室側から開口の開度を変更する弁体を設けると共に、１次室を大気に対して閉塞するダイアフラムを開口に対向して取り付け、ダイアフラムの中央に形成した取付穴に大気側から挿通される軸部材をケーシング内で弁体に連結したガスガバナにおいて、上記ダイアフラムの取付穴の内周部を軸部材の外周面に気密に密着させると共に、軸部材の基部を拡径して段部を形成し、軸部材に弁体が連結されている状態で弁体と段部とでダイアフラムの開口周縁を挟み、１次室に圧力が作用している状態で弁体が軸部材から脱落した場合に、１次室の圧力によってダイアフラムが押されてダイアフラムの開口周縁が段部に押接してダイアフラムが軸部材から外れないようにしたことを特徴とする。
【０００７】
従来のガスガバナでは、ダイアフラムの取付穴の周囲を、弁体の開閉方向に沿って締め付けることにより気密性を確保していたが、上記構成では、取付穴の内周部を軸部材の外周面に密着させることにより気密性を確保しているので、軸部材が弁体から外れて、ダイアフラムに対する締め付け力が低下し、あるいは消滅しても気密性には影響が無く、気密性が低下することがない。
【０００８】
なお、軸部材と弁体とが分離すると軸部材はダイアフラムと共に閉弁方向に移動する。その移動量が大きすぎると、取付穴の形状が歪んで気密性が損なわれるおそれが生じる。そこで、上記開口の開度が減少する方向を閉弁方向として、上記軸部材の閉弁方向への移動を所定の位置で規制するストッパ手段を設けた。
【発明の効果】
【０００９】
以上の説明から明らかなように、本発明は、ダイアフラムの中央に設けた取付穴の内周部を、軸部側である軸部材の外周面に密着させることにより１次室の気密性を担保しているので、この取付穴の周囲を締め付けている力が低下したり消滅しても気密性が損なわれることがない。
【発明を実施するための最良の形態】
【００１０】
図１を参照して、１は本発明によるガスガバナである。このガスガバナ１はケーシング２と、このケーシングにねじ止めされたカバー３とを有している。ケーシング２内にはスリーブ２１が嵌入されており、１次室２２と２次室２３とは、このスリーブ２１の底部に開設された開口２４を介して連通している。
【００１１】
２次室２３側から樹脂製の弁体４がセットされている。この弁体４は開口２４に対して２次室２３側から上下して開口２４の開度を調節する。また、弁体４には円柱部４１が形成されている。この円柱部４１は中空に形成されており、中空部の下端には内側に向いた係合爪４２が形成されている。
【００１２】
一方、同じく樹脂製の軸部材５が設けられいる。この軸部材５には図において下方に延設された軸部であるボス部５１が設けられており、このボス部５１が上記弁体４の円柱部４１の中空部内に挿入される。ボス部５１の先端部近傍には環状の係合溝５２が形成されており、ボス部５１を円柱部４１の中空部内に挿入すると、上記係合爪４２が係合溝５２内に嵌り、軸部材５は弁体４と一体となって分離されない状態になる。
【００１３】
ところで、ボス部５１を円柱部４１の中空部内に挿入する前に、ダイアフラム６の中央に開設した取付穴６１にボス部５１を挿通しておく。従って、ボス部５１を円柱部４１の中空部内に挿入すると、取付穴６１の周囲は弁体４と軸部材５とで、弁体４の移動方向に沿って両側からダイアフラムの中央部を挟むことになる。
【００１４】
このダイアフラム６はゴム製で一体に形成されており、従って取付穴６１の周囲もゴムで形成されている。そして、図２に示すように、取付穴６１の直径をボス部５１の直径より小さく成形して、取付穴６１内にボス部５１を挿通すると、取付穴６１が弾性的に拡径され、ボス部５１の外周面に密着するようにした。この密着の程度は、少なくとも１次室２２内の１次圧のガスが取付穴６１とボス部５１の外周面との間を通って大気側に漏出しない程度になるように設定されている。
【００１５】
図１に戻り、軸部材５の上端には外方に広がる鍔部５２が形成され、一方、この鍔部５２に対応する位置にストッパ部３１が、カバー３に一体に形成されている。
【００１６】
上記構成で、ガスガバナ１を使用中に、例えば係合爪４２が破損などして係合爪４２が係合溝５２から外れると、弁体４は１次室２２内の１次圧によって下方に押し下げられる。一方、ダイアフラム６は１次室２２内の１次圧を受圧して上方に押し上げられる。軸部材５はダイアフラム６の取付穴に挿入されているので、ダイアフラム６と共に上方に移動する。
【００１７】
すると、図３に示すように、ボス部５１が円柱部４１の中空部内から抜ける方向に移動し、ダイアフラム６の取付穴６１の周囲を上下方向から挟まない状態になる。従来の構成では、このような状態になると、ダイアフラム６と軸部材５との間の気密性は担保されなくなるが、本発明では、取付穴６１の内周面がボス部５１の外周面に依存として密着しているので、気密性が損なわれることがない。また、軸部材５は鍔部５２がストッパ部３１に当接した位置で、それ以上の上方への移動が規制されるので、ボス部５１が取付穴６１から抜けたり、取付穴６１の周辺の形状が変形して気密性が損なわれるような状態にはならない。
【００１８】
なお、弁体４は１次圧によって２次室２３の底部に押し付けられるので、図示のように弁体４が流出口２５を閉鎖し、流出口２５からのガスの流出が停止される。そのためガスバーナに着火できない状態になるので、調圧されない１次圧がそのままガスバーナに供給されることがない。また、ガスバーナが点火できないことから、ガスガバナ１に異常が生じたことを知ることができる。
【００１９】
なお、本発明は上記した形態に限定されるものではなく、本発明の要旨を逸脱しない範囲内において種々の変更を加えてもかまわない。
【図面の簡単な説明】
【００２０】
【図１】本発明の一実施の形態の構成を示す図
【図２】ダイアフラムの取り付け状態を示す拡大図
【図３】弁体と軸部材とが分離した状態を示す図
【符号の説明】
【００２１】
１  ガスガバナ
２  ケーシング
３  カバー
４  弁体
５  軸部材
６  ダイアフラム
３１  ストッパ部
４１  円柱部
５１  ボス部
６１  取付穴
【図１】
0004641955.tif 000002
【図２】
0004641955.tif 000003
【図３】
0004641955.tif 000004